(57)【要約】【課題】前方に向けて光を反射させる部分を有する導光部材を備えた遊技機において、当該部分において生じる視覚的なムラを抑制すること。【解決手段】光を透過させる材料で形成された導光部材１１ｐと、前記導光部材１１ｐ内部に向けて光を出射する光源１２と、を備え、前記導光部材１１ｐには、光源１２から出射された光を前面側に向けて反射させる部分であって、第一反射部１１１および当該第一反射部１１１よりも前記光源１２から遠い位置に設けられた第二反射部１１２が形成されており、前記第一反射部１１１よりも前記第二反射部１１２の方が、平面視での大きさが大きく設定されている遊技機１とする。【選択図】図２
2018050787.tif 000002
【特許請求の範囲】
【請求項１】
光を透過させる材料で形成された導光部材と、
前記導光部材内部に向けて光を出射する光源と、
を備え、
前記導光部材には、光源から出射された光を前方に向けて反射させる部分であって、第一反射部、当該第一反射部よりも前記光源から遠い位置に設けられた第二反射部、および前記第一反射部と前記第二反射部の一方から他方に向かうように設けられた第三反射部が形成されており、
前記第一反射部よりも前記第二反射部の方が、平面視での大きさが大きく設定されており、
前記第三反射部は、平面視での大きさが前記第一反射部側から前記第二反射部側にかけて次第に大きくなるように設定されていることを特徴とする遊技機。
【発明の詳細な説明】
【技術分野】
【０００１】
本発明は、遊技機に関する。
【背景技術】
【０００２】
下記特許文献１には、内部に供給された光を前方（遊技者側）に向けて反射させる導光部材を備えた遊技機が開示されている。この種の装置においては、前方に向けて光を反射させる部分がムラ（斑）なく発光しているように遊技者がみえるようにすることが重要である。
【先行技術文献】
【特許文献】
【０００３】
【特許文献１】特開２００３−１６４６２０号公報
【発明の概要】
【発明が解決しようとする課題】
【０００４】
本発明が解決しようとする課題は、前方に向けて光を反射させる部分を有する導光部材を備えた遊技機において、当該部分において生じる視覚的なムラを抑制することを目的とする。
【課題を解決するための手段】
【０００５】
上記課題を解決するためになされた本発明にかかる遊技機は、光を透過させる材料で形成された導光部材と、前記導光部材内部に向けて光を出射する光源と、を備え、前記導光部材には、光源から出射された光を前方に向けて反射させる部分であって、第一反射部、当該第一反射部よりも前記光源から遠い位置に設けられた第二反射部、および前記第一反射部と前記第二反射部の一方から他方に向かうように設けられた第三反射部が形成されており、前記第一反射部よりも前記第二反射部の方が、平面視での大きさが大きく設定されており、前記第三反射部は、平面視での大きさが前記第一反射部側から前記第二反射部側にかけて次第に大きくなるように設定されていることを特徴とする。
【発明の効果】
【０００６】
本発明にかかる遊技機によれば、導光部材に設けられる前方に向けて光を反射させる部分において生じる視覚的なムラを抑制することが可能である。
【図面の簡単な説明】
【０００７】
【図１】本発明の一実施形態にかかる遊技機の正面図である。
【図２】（ａ）は光学的装飾装置（被覆部材を取り除いた状態）を模式的に示した平面図であり、（ｂ）は（ａ）に示すＡ−Ａ線断面図であり、（ｃ）は第三反射部を拡大して示した図である。
【図３】第一変形例を説明するための図である。
【図４】第二変形例を説明するための図である。
【発明を実施するための形態】
【０００８】
以下、本発明にかかる遊技機１の一実施形態について図面を参照して詳細に説明する。まず、図１を参照して遊技機１の全体構成について簡単に説明する。遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【０００９】
遊技領域９０２には、始動入賞口９０４、大入賞口９０６、アウト口９０７などが設けられている。表示装置９１は、遊技盤９０の後方に設けられており、表示装置９１の表示領域９１１は遊技盤９０に形成された開口９０１を通じて視認可能となる領域である。なお、表示領域９１１の形状等は適宜変更可能である。
【００１０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１１】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。また、公知の遊技機と同様に、当否の抽選（当否判定）は、図示されない制御基板に設けられた当否判定手段が、始動入賞口９０４への遊技球の入賞を契機として実行する。大当たりに当選した場合には、大入賞口９０６が開放する大当たり遊技が実行される。
【００１２】
なお、遊技機１の枠体、遊技球を貯留する下皿や上皿など、本発明に関係のない遊技機１の構成要素は説明を省略する。これらについては公知の遊技機と同様の構造のものが適用できる。
【００１３】
本実施形態にかかる遊技機１は、演出効果を高めるための光学的装飾装置１０を備える。なお、本実施形態における光学的装飾装置１０は、所定の範囲内を可動するもの（いわゆる可動役物）であるが、所定位置に固定されたものとしてもよい。固定されたものであっても、可動するものであっても、表面の装飾を遊技者が視認可能な位置に位置することができるものである。光学的装飾装置１０の駆動機構はどのような構造であってもよいため説明を省略する。
【００１４】
図２にその詳細を示す光学的装飾装置１０は、導光部材１１ｐおよび光源１２を備える。なお、それ以外の部材を備えるものであってもよいが、それについては説明を省略する。導光部材１１ｐは、光透過性を有する材料で形成された板状の部材である。本実施形態における導光部材１１ｐは、透明な樹脂材料で形成されており、その平面方向が前後方向に直交するようにして設けられている。導光部材１１ｐには、光源１２から出射された光を少なくとも前方（遊技者側）に向けて反射させる反射部１１が形成されている。なお、ここでいう前方とは、必ず前後方向（遊技盤に直交する方向）に沿う方向でなくてもよい。例えば、導光部材１１ｐの平面方向が前後方向に対して傾斜するように配置されていてもよい。反射部１１が遊技者から視認可能な位置に位置するよう設けられていればよい。本実施形態における反射部１１は、少なくとも、第一反射部１１１、第二反射部１１２および第三反射部１１３に区分けされる（図２（ａ）参照）。
【００１５】
光源１２は、その光出射面が、導光部材１１ｐの一側面１１０（厚み方向の端面）に対向するようにして配置される（図２（ａ）（ｂ）参照）。本実施形態における光源１２は図示されない制御基板上に実装されたＬＥＤである。光源１２から出射される光の色はどのようなものであってもよい。光の色を変化させることができるものであってもよい。図示しないが、本実施形態では、当該制御基板は、導光部材１１ｐと重なるようにして配置されている。また、本実施形態では、光源１２の前方は、被覆部材１３に覆われている（図１参照）。当該被覆部材１３の少なくとも前面には、所定の装飾が施されている。つまり、被覆部材１３は、後述する光の漏れを防止する作用だけでなく、装飾性を高める作用を発現するものとしても機能する。
【００１６】
光源１２から出射された光の大部分は、導光部材１１ｐの一側面１１０を通じて導光部材１１ｐの内部に入り込むことになる（図２（ａ）（ｂ）参照）。本実施形態では、上記被覆部材１３によって光源１２から出射された光が前方に漏れてしまうこと（光源１２が遊技者に直接視認されること）が防止されている。本実施形態における導光部材１１ｐは、少なくとも当該一側面１１０が平坦な面であり、当該一側面１１０に対向するようにして複数の光源１２が配置されている。したがって、各光源１２と当該一側面１１０間の距離は一定である。よって、複数の光源１２が並ぶ方向においては比較的均一な光が導光部材１１ｐ内に入り込む。以下の説明においては、複数の光源１２が並ぶ平面方向に沿う方向をＸ方向と、当該Ｘ方向に直交する平面方向に沿う方向、すなわち各光源１２から出射される光の光軸方向をＹ方向と、Ｘ方向およびＹ方向に直交する方向、すなわち前後方向に沿う方向をＺ方向と称する。本実施形態における導光部材１１ｐは、ＸＹ平面に沿うようにして設けられている。
【００１７】
導光部材１１ｐに形成された各反射部１１の構造は、導光部材１１ｐのＹ方向に沿う光軸を有する光の多くを前方（Ｚ方向）に向けて反射させる構造であればどのようなものであってもよい。本実施形態では、導光部材１１ｐの全面が内側に向かって凹むような形状を呈しており、当該部分が反射部１１となっている（図２（ｂ）参照）。導光部材１１ｐ内に進入した光の多くは、当該凹んだ部分によって反射するため、遊技者には当該部分が（その他の部分に比して）光っているかのようにみえる。つまり、遊技者の視点でいえば、反射部１１は、当該部分があたかも発光しているかのようにみえる発光部であるともいえる。各反射部１１（凹部）には、光を乱反射させて拡散する小さい突起等が形成されていてもよい。
【００１８】
各反射部１１の位置関係等は以下の通りである。第一反射部１１１は、平面視（前後方向に沿う視線）での形状が、Ｘ方向に沿うような線状を呈する部分である（図２（ａ）参照）。なお、以下の説明においては、第一反射部１１１は、Ｘ方向に平行なものとして説明する（図示する）が、所定の装飾態様に合わせて傾斜したり、曲がったりする部分を含んでいてもよい。つまり、第一反射部１１１は、おおまかにみて、Ｘ方向に沿うような形状を呈するものである。換言すれば、大まかにみて、各光源１２から出射される光の光軸に対して直交するように設けられた部分である。
【００１９】
第二反射部１１２は、第一反射部１１１と同様に、平面視（前後方向に沿う視線）での形状が、Ｘ方向に沿うような線状を呈する部分である（図２（ａ）参照）。なお、以下の説明においては、第二反射部１１２は、Ｘ方向に平行なものとして説明する（図示する）が、所定の装飾態様に合わせて傾斜したり、曲がったりする部分を含んでいてもよい。つまり、第二反射部１１２は、おおまかにみて、Ｘ方向に沿うような形状を呈するものである。換言すれば、大まかにみて、各光源１２から出射される光の光軸に対して直交するように設けられた部分である。
【００２０】
導光部材１１ｐにおいて、第二反射部１１２は、第一反射部１１１に比して、光源１２から遠い位置に形成されている（図２（ａ）参照）。つまり、光源１２に対向する一側面１１０側に第一反射部１１１が位置し、第一反射部１１１よりも当該一側面１１０から遠い位置に第二反射部１１２が位置する。そして、平面視での第一反射部１１１のＹ方向における大きさ（Ｌ１）よりも、平面視での第二反射部１１２のＹ方向における大きさ（Ｌ２）の方が大きくなるように設定されている（図２（ｂ）参照）。本実施形態では、第一反射部１１１および第二反射部１１２は大まかにみてＸ方向に沿う線状を呈するものであるため、平面視での第一反射部１１１の幅よりも、平面視での第二反射部１１２の幅の方が大きく設定されているといえる。遊技者の視点でいえば、光源１２を駆動させたときに発光しているかのようにみえる部分としての第一反射部１１１よりも、同様の部分としての第二反射部１１２の方が、光源１２の光軸方向における大きさが大きい（太い）形状を呈するものであるといえる。
【００２１】
第三反射部１１３は、平面視（前後方向に沿う視線）での形状が、Ｙ方向に沿うような線状を呈する部分である（図２（ａ）参照）。より具体的にいえば、第一反射部１１１と第二反射部１１２の一方から他方に向かって延びるように形成された部分である。なお、以下の説明においては、第三反射部１１３は、Ｙ方向に平行なものとして説明する（図示する）が、所定の装飾態様に合わせて傾斜したり、曲がったりする部分を含んでいてもよい。つまり、第三反射部１１３は、おおまかにみて、Ｙ方向に沿うような形状を呈するものである。換言すれば、大まかにみて、各光源１２から出射される光の光軸に沿うように設けられた部分である。なお、本実施形態における第三反射部１１３は、第一反射部１１１の一端と第二反射部１１２の一端を繋ぐように形成された部分であるが、第一反射部１１１や第二反射部１１２の少なくとも一方と繋がっていない形状であってもよい。
【００２２】
導光部材１１ｐにおいて、第三反射部１１３は、平面視でのＸ方向における大きさが第一反射部１１１側から前記第二反射部１１２側にかけて次第に大きくなるように（段階的にではなく、外縁がなだらかに広がっていくように）設定されている（Ｌ３ａ＜Ｌ３ｂである。図２（ｃ）参照）。本実施形態では、第三反射部１１３は大まかにみてＹ方向に沿う線状を呈するものであるため、平面視での幅が第一反射部１１１側から第二反射部１１２側にかけて次第に大きくなっていくものであるといえる。遊技者の視点でいえば、光源１２を駆動させたときに発光しているかのようにみえる部分としての第三反射部１１３は、第一反射部１１１側から第二反射部１１２側にかけて次第に大きく（太く）なっていく形状を呈するものであるといえる。
【００２３】
このように構成される光学的装飾装置１０の作用は以下の通りである。光源１２を駆動させると、当該光源１２から出射された光は、導光部材１１ｐの一側面１１０を通じて導光部材１１ｐ内部に入り込むことになる。そして、導光部材１１ｐ内部に形成された各反射部１１に反射されて、遊技者には所定の装飾態様となるように形成された各反射部１１が光っているかのようにみえることとなる。
【００２４】
本実施形態では、光源１２から近い第一反射部１１１よりも光源１２から遠い第二反射部１１２の方が平面視での大きさ（Ｙ方向における大きさ）が大きく設定されているため、光源１２から遠くなるにつれて導光部材１１ｐ内を通過する光量が低下したとしても、相対的に大きい第二反射部１１２が暗く見えてしまうことが抑制される。つまり、仮に第一反射部１１１と第二反射部１１２の大きさが同じであったとすれば、光源１２から遠い第二反射部１１２の方が第一反射部１１１に比して暗く見えてしまうおそれがあるところ、このような状況が発生するおそれを低減することが可能である。このように、本実施形態によれば、第一反射部１１１と第二反射部１１２の間で生じる視覚的なムラ（発光ムラ）を抑制することが可能である。
【００２５】
本実施形態では、第一反射部１１１と第二反射部１１２が相似形状である。具体的には、第一反射部１１１と第二反射部１１２の一方を光軸方向（Ｙ方向）に平行移動させた場合、一方の反射部１１の中心線（幅方向に二分する線をいう。以下同じ）と他方の反射部１２の中心線は一致する。このように第一反射部１１１と第二反射部１１２が相似形状であり、両者が同じように光っているようにみせる必要がある場合に本実施形態の技術思想は特に有効である。つまり、第一反射部１１１と第二反射部１１２との間の視覚的なムラ（明るさの差）を低減する必要があるところ、本実施形態によればこのようなムラを抑制することが可能となる。
【００２６】
また、第一反射部１１１と第二反射部１１２の一方から他方に向かう第三反射部１１３については、平面視でのＸ方向における大きさが第一反射部１１１側から前記第二反射部１１２側にかけて次第に大きくなるように設定されている。これにより、光源１２から遠くなるにつれて導光部材１１ｐ内を通過する光量が低下したとしても、第三反射部１１３における光源１２に近い側よりも、遠い側の方が暗く見えてしまうおそれを低減することが可能である。つまり、本実施形態のような第三反射部１１３の形状とすることで、視覚的なムラを抑制することが可能となる。
【００２７】
なお、第三反射部１１３は、Ｙ方向に沿うものでなくてもよい。第一反射部１１１側から第二反射部１１２側にかけて延びるようなものであればよい。第三反射部１１３の大きさ（Ｘ軸方向における大きさは）Ｙ軸方向おける光源１２からの距離に応じて大きくなるように設定すれば上記ムラを抑制することができる。
【００２８】
以上、本発明の実施形態（およびその変形例）について詳細に説明したが、本発明は上記実施形態（およびその変形例）に何ら限定されるものではなく、本発明の要旨を逸脱しない範囲で種々の改変が可能である。
【００２９】
例えば、上記実施形態では、光源１２に近い側に第一反射部１１１が、光源１２に近い側に第二反射部１１２が設けられていることを説明したが、大まかにみてＸ方向に沿う反射部１１として、三つ以上の反射部１１が設けられていてもよい。このような構成とする場合には、光源１２に近い（遠い）反射部１１であればあるほど、Ｙ方向における大きさ（幅）が小さく（大きく）なるように設定されていればよい。図３に示す第一変形例のような構成であれば、反射部１１ａ、反射部１１ｂ、反射部１１ｃの順で当該方向における大きさが大きくなる（反射部１１ｃが最も大きい）。換言すれば、大まかにみてＸ方向に沿う三つ以上の反射部１１が設けられている場合には、そのうちの二つを抽出して考えたとき、上記実施形態にて説明した第一反射部１１１と第二反射部１１２の関係が満たされるように構成されていればよい。また、第三反射部１１３は、一つのみ設けられていてもよいし、複数設けられていてもよい。
【００３０】
また、上記実施形態では、第一反射部１１１および第二反射部１１２は、大まかにみてＸ方向に沿うものであり、第三反射部１１３はＹ方向に沿うものであることを説明したが、図４に示す第二変形例のように、これらの方向に対して傾斜した反射部１１ｄが形成されていてもよい。このような反射部１１ｄにおいても、反射部１１ｄを構成する各部位の大きさ（幅）を、光源１２からの距離（Ｙ方向における光源１２と反射部１１Ｄの各部位の距離）が大きくなればなるほど大きくなるように設定すれば視覚的なムラを抑制することができる。つまり、上記実施形態にて説明した第一反射部１１１〜第三反射部１１３のような形状を呈する反射部１１を含めた全ての反射部１１について（どのような形状の反射部１１であっても）、各部位の大きさが光源１２からの距離が大きくなるほど大きくなるように設定すれば、視覚的なムラを抑制することが可能である。さらに端的にいえば、Ｙ方向沿う光源１２からの直線距離に応じて、全ての反射部１１について、各部位の大きさを設定すればよい。
【００３１】
上記実施形態にて説明した技術思想は、遊技機において用いられるその他の光学的装置に対し適用することも可能である。例えば、当否判定結果を示す図柄等が表示される表示装置や遊技領域等に重ねられる構造のものが知られている演出効果を高めるための導光板（イルミネーションパネル等と称される）について同様の技術思想を適用することも可能である。
【００３２】
上記実施形態から得られる具体的手段（遊技機）を以下に列挙する。
・手段１
光を透過させる材料で形成された導光部材と、前記導光部材内部に向けて光を出射する光源と、を備え、前記導光部材には、光源から出射された光を前面側に向けて反射させる部分であって、第一反射部および当該第一反射部よりも前記光源から遠い位置に設けられた第二反射部が形成されており、前記第一反射部よりも前記第二反射部の方が、平面視での大きさが大きく設定されていることを特徴とする遊技機。
手段１にかかる遊技機によれば、光源から近い第一反射部よりも光源から遠い第二反射部の方が平面視での大きさが大きく設定されているため、光源から遠くなるにつれて導光部材内を通過する光量が低下したとしても、相対的に大きい第二反射部が暗く見えてしまうことが抑制される。つまり、第一反射部と第二反射部の間で生じる視覚的なムラを抑制することが可能である。
【００３３】
・手段２
手段２にかかる遊技機は、上記手段１に記載の遊技機において、前記光源は、前記導光部材の一側面に向けて光を出射するように設けられていることを特徴とする。
手段２にかかる遊技機のように、導光部材の一側面に向けて光を出射するように光源が設けられた構成においては、光源から離れるにつれて導光部材内を通過する光量が次第に低下するから、特に有効である。
【００３４】
・手段３
手段３にかかる遊技機は、上記手段１または手段２に記載の遊技機において、前記第一反射部および前記第二反射部は、線状を呈し、前記第一反射部よりも前記第二反射部の方が、平面視での幅が大きく設定されていることを特徴とする。
手段３にかかる遊技機のように、第一反射部および第二反射部を線状の反射部とする場合に特に有効である。
【００３５】
・手段４
手段４にかかる遊技機は、上記手段１から手段３のいずれかに記載の遊技機において、前記導光部材には、前記第一反射部と前記第二反射部の一方から他方に向かうように設けられた第三反射部が形成されており、前記第三反射部は、平面視での大きさが前記第一反射部側から前記第二反射部側にかけて次第に大きくなるように設定されていることを特徴とする。
【００３６】
手段４にかかる遊技機のように、第一反射部と第二反射部の一方から他方に向かう第三反射部については、第一反射部側から第二反射部側にかけて（すなわち光源から離れるにつれて）、次第に大きくなるような形状とすることで、視覚的なムラを抑制することが可能となる。
【符号の説明】
【００３７】
１  遊技機
１０  光学的装飾装置
１１ｐ  導光部材
１１  反射部
１１１  第一反射部
１１２  第二反射部
１１３  第三反射部
１２  光源
【図１】
2018050787.tif 000003
【図２】
2018050787.tif 000004
【図３】
2018050787.tif 000005
【図４】
2018050787.tif 000006